(57)【要約】      （修正有）【課題】使用者の体形に影響されることがなく、各種筋治療具の機能を向上することで筋の異常緊張あるいは異常収縮を効率良く防止することができ、健康の維持および増進を図る椅子を提供する。【解決手段】背凭れ部３０が着座部１０に対して起伏可能とされ、着座部１０には、その前部側に配置された前部脚４２および後部側に揺動可能に枢着された後部脚４３から成る脚体２０を設け、前部脚４２は、着座部１０に着座した使用者が背凭れ部３０と共に後方に傾倒する際にその両足首の甲の部分を個別に掛止する一対の掛止部４４を設け、後部脚４３は、背凭れ部３０との間に流体圧シリンダが連結されて流体圧シリンダの伸縮操作により背凭れ部３０の起伏度合が調整可能に構成されている。【選択図】図３
0003138255.tif 000002
【実用新案登録請求の範囲】
【請求項１】
使用者Ｎが着座する着座部１０と、この着座部１０を支持する脚体２０と、上記着座部１０の後端部に備えた背凭れ部３０とから成る椅子に於いて、
上記背凭れ部３０が上記着座部１０に対して起伏可能とされ、上記着座部１０には、その前部側に配置された前部脚４２および後部側に揺動可能に枢着された後部脚４３から成る脚体２０が設けられ、
上記前部脚４２は、上記着座部１０に着座した上記使用者Ｎが上記背凭れ部３０と共に後方に傾倒する際にその両足首の甲の部分を個別に掛止する一対の掛止部４４を設け、
上記後部脚４３は、上記背凭れ部３０との間に流体圧シリンダが連結されて上記使用者Ｎによる上記流体圧シリンダＲの伸縮操作により上記背凭れ部３０の起伏度合が調整可能に構成されていることを特徴とする椅子。
【請求項２】
上記各掛止部４４は、前後に進退移動可能となし上記使用者Ｎの体形に応じて進退位置がロック可能であって、
上記掛止部４４の下方には掛止した足裏を乗せる載置部５６ａ，５６ｂを一体的に備えていることを特徴とする請求項１に記載の椅子。
【請求項３】
上記背凭れ部３０の両側部には取付け具Ｍ１，Ｍ２が固定され、上記取付け具Ｍ１，Ｍ２には門型構成となる一対の伸縮アーム６６ａ，６６ｂが上記背凭れ部３０に沿って移動可能に支持されると共に上記伸縮アーム６６ａ，６６ｂの上端にはヘッドレスト４８が水平に装着されて成り、
上記取付け具Ｍ１，Ｍ２は、上記ヘッドレスト４８が上記背凭れ部３０上方に位置決めされて使用者の後頭部を乗せるように構成され、更に上記背凭れ部３０の上方位置から着座した使用者Ｎの胸部側前面まで上記伸縮アーム６６ａ，６６ｂが上記着座部１０と略平行な位置まで揺動可能となし、その揺動角度を任意の角度にロックできる揺動角度位置決め機構が具備されていることを特徴する請求項１に記載の椅子。
【請求項４】
上記ヘッドレスト４８は、上記角度位置決め機構により着座した使用者Ｎの胸部側前面まで揺動された上記伸縮アーム６６ａ，６６ｂの角度が上記着座部１０と略平行となるよう位置決めされて使用者Ｎのおでこを載せるように構成され、上記取付け具Ｍ１，Ｍ２によって使用者Ｎの胸部側前面から上記ヘッドレスト４８までの距離が調整可能となっていることを特徴とする請求項３に記載の椅子。
【請求項５】
上記背凭れ部３０は、幅方向中央に上記使用者の背面を押圧する背面押圧具６０を備え、
上記背面押圧具６０は、少なくとも左右の縦方向２か所に半球状の押圧突子Ｄ１，Ｄ２を配設し、上記背凭れ部３０の幅方向中央の縦方向に回転自在に軸支された螺子軸６４が螺挿して、該螺子軸６４が上記背凭れ部３０下方の側端から突出した軸端に操作ハンドルＨを備えた操作軸６５と傘歯車Ｇ１，Ｇ２を介して連動可能となし、上記背面押圧具６０が背凭れ部３０の上端から下端に亘って移動可能に構成されていることを特徴とする請求項１から４の何れかに記載の椅子。
【考案の詳細な説明】
【技術分野】
【０００１】
本考案は、椅子に係り、更に詳しくは、筋系（筋機能）の働きを誘発し、筋肉と骨格関節とを正常に整えることで自然体を得ることができ、その結果、健康維持および健康増進を図れる椅子に関する。
【背景技術】
【０００２】
従来、各種疾患の治療法として筋系帯療法を代表とする種々の治療法が知られている。この筋系帯療法について概略説明すると、各種疾患は人体の骨格が左右非対称となることによって起こるとするものであり、上記骨格を人体の左右で対象とすることで人体の各種疾患を治療するものである。この筋系帯療法は多くの臨床例によって各種の疾患に対して治療効果があることが確認されている。
【０００３】
上記筋系帯療法によると、人体の骨格は筋肉および靭帯（以下、単に筋と記載する）と繋がれており、この筋により骨格を保持したり、動かしたりすることができるものであるとされている。そして、筋が緊張して収縮した場合、再び弛緩することができなくなる。すなわち、異常緊張あるいは異常収縮することがある。この筋の異常緊張あるいは異常収縮が、人体の左右で非対称に偏在することにより、人体の骨格が左右非対称となるとされている。
【０００４】
そこで、本出願人は、必要な時には個人でも簡単に利用することができると共に、筋の異常緊張あるいは異常収縮を防止することができ、健康の維持および増進を図ることができる各種筋治療具を備えた椅子を提案した（例えば、特許文献１参照）。
【０００５】
この特許文献１に係る椅子は、両足首を前部補助脚間に横架された掛止部に掛けて、骨盤を水平にして着座した状態で背凭れ部を後方に傾倒すると全身的に前側の筋肉が伸展する。その結果、脊椎を解剖学的に正常な状態に改善し、両肩甲骨が後に引けて猫背と出っ腹を改善することができる構造になっており、生活習慣病や運動不足改善にも役立ち、Ｏ脚改善と美脚、バストアップ、健康ダイエットなどの目的に使用できるようになっている。
【０００６】
【特許文献１】特許第３７６９６５６号公報
【考案の開示】
【考案が解決しようとする課題】
【０００７】
しかし、上記特許文献１では、両足首を掛止する掛止部が前部の補助脚間に一体的に横架された構造になっていることから、使用者の体形によっては足首を掛止する位置が適切でない場合があり、また、筋治療具として背凭れ部の上端から縦方向に一定長さで形成された凹溝内に挿入支持されたヘッドレストと筋押圧具が、共に上記凹溝の範囲内で上下方向にのみ移動可能に構成されていることからそれらの筋治療具としての機能が限定されていた。
【０００８】
本考案の目的は、使用者の体形に影響されることがなく、各種筋治療具の機能を向上することで筋の異常緊張あるいは異常収縮を効率良く防止することができ、健康の維持および増進を図る椅子を提供することを目的とする。
【課題を解決するための手段】
【０００９】
上記の目的を解決するために、本考案の請求項１に記載の椅子１は、使用者Ｎが着座する着座部１０と、この着座部１０を支持する脚体２０と、上記着座部１０の後端部に備えた背凭れ部３０とから成る椅子に於いて、上記背凭れ部３０が上記着座部１０に対して起伏可能とされ、上記着座部１０には、その前部側に配置された前部脚４２および後部側に揺動可能に枢着された後部脚４３から成る脚体２０が設けられ、上記前部脚４２は、上記着座部１０に着座した上記使用者Ｎが上記背凭れ部３０と共に後方に傾倒する際にその両足首の甲の部分を個別に掛止する一対の掛止部４４を設け、上記後部脚４３は、上記背凭れ部３０との間に流体圧シリンダが連結されて上記使用者Ｎによる上記流体圧シリンダＲの伸縮操作により上記背凭れ部３０の起伏度合が調整可能に構成されていることを特徴とする椅子である。
上記の椅子１によれば、使用者Ｎが骨盤を水平にして着座部１０に着座し、両足首の甲を前部脚４２の一対の掛止部４４に掛止した状態で上記背凭れ部３０を後方に傾倒させて上半身を後方に反らしながら意識を腹部に集中するようにして使用される。
【００１０】
本考案の請求項２に記載の椅子１は、上記各掛止部４４が、前後に進退移動可能となし上記使用者Ｎの体形に応じて進退位置がロック可能であって、上記掛止部４４の下方には掛止した足裏を乗せる載置部５６ａ，５６ｂを一体的に備えていることを特徴とする椅子１である。
上記の椅子１によれば、各掛止部４４は使用者Ｎの体形に応じて前後に進退移動され、上記掛止部４４の下方に一体的に備えた載置部５６ａ，５６ｂに使用者の足裏を載せることで、掛止部４４に掛止する両足首の甲の部分が位置決めされる。
【００１１】
本考案の請求項３に記載の椅子１は、上記背凭れ部３０の両側部には取付け具Ｍ１，Ｍ２が固定され、上記取付け具Ｍ１，Ｍ２には門型構成となる一対の伸縮アーム６６ａ，６６ｂが上記背凭れ部３０に沿って移動可能に支持されると共に上記伸縮アーム６６ａ，６６ｂの上端にはヘッドレスト４８が水平に装着されて成り、上記取付け具Ｍ１，Ｍ２は、上記ヘッドレスト４８が上記背凭れ部３０上方に位置決めされて使用者の後頭部を乗せるように構成され、更に上記背凭れ部３０の上方位置から着座した使用者Ｎの胸部側前面まで上記伸縮アーム６６ａ，６６ｂが上記着座部１０と略平行な位置まで揺動可能となし、その揺動角度を任意の角度にロックできる揺動角度位置決め機構が具備されていることを特徴する椅子である。
上記の椅子１によれば、取付け具Ｍ１，Ｍ２に支持されている門型構成となる一対の伸縮アーム６６ａ，６６ｂを背凭れ部３０に沿って移動し、使用者Ｎの頭部を支えている頸椎（首）両側の筋肉をヘッドレスト４８に押し当てる。また、着座した使用者Ｎの胸部側前面まで一対の伸縮アーム６６ａ，６６ｂを上記着座部１０と略平行になるよう揺動して上記ヘッドレスト４８を揺動角度位置決め機構により任意の角度にロックすることで、使用者１の座高に応じておでこを載せる高さ位置を調整される。
【００１２】
本考案の請求項４に記載の椅子１は、上記ヘッドレスト４８が、上記角度位置決め機構により着座した使用者Ｎの胸部側前面まで揺動された上記伸縮アーム６６ａ，６６ｂの角度が上記着座部１０と略平行となるよう位置決めされて使用者Ｎのおでこを載せるように構成され、上記取付け具Ｍ１，Ｍ２によって使用者Ｎの胸部側前面から上記ヘッドレスト４８までの距離が調整可能となっていることを特徴とする椅子１である。
上記の椅子１によれば、上記一対の伸縮アーム６６ａ，６６ｂを着座した使用者Ｎの胸部側前面まで上記着座部１０と略平行となるよう揺動して上記ヘッドレスト４８を揺動角度位置決め機構により任意の角度にロックすることで高さ位置を決定し、この状態で使用者Ｎの胸部側前面から上記ヘッドレスト４８までの距離を調整し、上記取付け具Ｍ１，Ｍ２によって使用者の体形（肥満型または瘠せ型）に応じておでこを載せる前後位置が調整される。
【００１３】
本考案の請求項５に記載の椅子１は、上記背凭れ部３０が、幅方向中央に上記使用者の背面を押圧する背面押圧具６０を備え、上記背面押圧具６０は、少なくとも左右の縦方向２か所に半球状の押圧突子Ｄ１，Ｄ２を配設し、上記背凭れ部３０の幅方向中央の縦方向に回転自在に軸支された螺子軸６４が螺挿して、該螺子軸６４が上記背凭れ部３０下方の側端から突出した軸端に操作ハンドルＨを備えた操作軸６５と傘歯車Ｇ１，Ｇ２を介して連動可能となし、上記背面押圧具６０が背凭れ部３０の上端から下端に亘って移動可能に構成されていることを特徴とする椅子１である。
上記の椅子１によれば、上記背凭れ部３０の幅方向中央に備えた背面押圧具
６０が上記背凭れ部３０下方の操作ハンドルＨの操作により上記背面押圧具６
０が背凭れ部３０の上端から下端に亘って移動することで、使用者Ｎ背面の脊
椎起立筋と後背筋などを半球状の押圧突子により押圧して弛緩する。
【考案の効果】
【００１４】
本考案は以下の効果を奏する。
【００１５】
請求項１に記載の考案によれば、使用者が骨盤を水平にして着座部に着座し、両足首の甲を前部脚の一対の掛止部に掛止した状態で上記背凭れ部を後方に傾倒させて上半身を後方に反らしながら意識を腹部に集中し、腹式呼吸の腹筋運動を行うことで、小腸、大腸と直腸の運動になり、消化吸収と便通を良くすることができる。また、両足首の甲の部分を掛止部４４に掛けて膝を合わせ、背凭れ部を後方に傾倒させて身体を後ろに反らすと、大腿前部の大腿直筋と、大腿外側の大腿筋膜張筋が伸ばされるためＯ脚形が改善し美脚になる。更に、膝関節の角度が正常になるために膝痛を改善することができる。
【００１６】
請求項２に記載の考案によれば、掛止部の下方に一体的に備えた載置部に使用者の足裏を載せることで使用者の体形に関わらず両足首の甲の部分を上記掛止部に正確に位置決めすることができる。
【００１７】
請求項３に記載の考案によれば、一対の伸縮アームを背凭れ部に沿って移動することで、各使用者に適合した頸椎（首）両側の筋肉部位にヘッドレストを適合させることができる。また、着座した使用者の胸部側前面まで伸縮アームを着座部と略平行になるよう揺動してヘッドレストを任意の角度にロックすることで、使用者の座高に応じておでこを載せる適切な高さ位置に調整することができる。
【００１８】
請求項４に記載の考案によれば、上記伸縮アームが任意の角度にロックされてヘッドレストの高さ位置が決定された状態で、使用者の胸部側前面から上記ヘッドレストまでの距離が調整できるので、使用者の体形（肥満型または瘠せ型）に応じておでこを載せるヘッドレストの前後位置を調整することができる。
【００１９】
請求項５に記載の考案によれば、背凭れ部の幅方向中央に備えた背面押圧具
が上記背凭れ部下方の操作ハンドルの操作により上記背面押圧具が背凭れ部の
上端から下端に亘って移動することができるので、使用者背面の脊椎起立筋と
後背筋などを半球状の押圧突子により押圧して弛緩することができる。
【考案を実施するための最良の形態】
【００２０】
本考案の一実施例を以下に説明する。
【実施例】
【００２１】
図１〜図７には椅子１の一実施例が示されている。図１は本考案に係る椅子を使用した一実施例を示す全体斜視図、図２は本考案に係る椅子を使用した別の実施例を示す全体斜視図、図３は上記椅子の全体側面図、図４は上記椅子の全体斜視図、図５は上記椅子の内部構造を示す全体斜視図、図６はヘッドレストの使用例を示す椅子の全体斜視図、図７はヘッドレストを支持する伸縮アームを任意の角度にロックする揺動角度位置決め機構を示す部分拡大斜視図である。
【００２２】
図１、図２に示すように、椅子１は、使用者Ｎが着座する着座部１０と、この着座部１０を支持する脚体２０と、着座部１０の後端部に設けられた使用者Ｎの背中を支える背凭れ部３０とを設け、上記背凭れ部３０は、上記着座部１０に対して起伏可能とされており、上記着座部１０には、その前部側に配置された前部脚４２および後部側に揺動可能に枢着された後部脚４３から脚体２０が構成されている。上記前部脚４２は、上記着座部１０に着座した上記使用者が上記背凭れ部３０と共に後方に傾倒する際にその両足首の甲の部分を個別に掛止する一対の掛止部４４を設けている。上記後部脚４３は、背凭れ部３０との間に流体圧シリンダＲが連結されて上記使用者Ｎによる流体圧シリンダＲの伸縮操作により上記背凭れ部３０の起伏度合が調整可能となるとように構成されている
【００２３】
図１に示す椅子１は、各種筋治療を行うことができる筋治療具ないし筋治療機能を備えている。例えば、上記椅子１の着座部１０の下面には足の載置台Ｌを収納する収納部が設けてあり、使用時には着座部１０の下面から載置台Ｌを引き出して使用者の足を乗せリラックスすることができる。図２に示す椅子１は、使用者自身で筋治療を行う際には、上記載置台Ｌを上記収納部内に収納した状態で使用される。
【００２４】
以下、詳しく説明すると、上記着座部１０は、矩形状に形成されたフレームＦ１（図５参照）により平坦面で形成された筐体（図示せず）を備え、この筐体は、布や合成樹脂または合成皮革等で包み込んで覆われ、上記着座部１０の左右両側の側面には肘掛け１３が設けられている。
【００２５】
図３において上記脚体２０は、上記着座部１０後端下面に設けたブラケット５に左右一対の後部脚４３が軸支され後部脚４３の下端にはストッパ付きキャスター６が設けられ、左右後部脚４３を連結する横フレーム８と後述する前部脚４２の下面に設けたブラケット１１には略への字に折曲形成された補助脚１２が枢動可能に連結されている。
【００２６】
上記補助脚１２の後方上面にはブラケット１４が突設され、このブラケット１４には流体圧シリンダＲ（例えば空圧シリンダ）の下端が枢着されて上記シリンダロッド１８の先端が背もたれ部３０の後面上部に設けたブラケット２２に連結されている。
【００２７】
また、上記前部脚４２は、上記着座部１０を構成するフレームＦ１の後方側面に横架された横枠Ｆ１ａ（図５参照）中央に前部補助脚４２ａの上端が止着されて斜め前方に延出されている。前部補助脚４２ａの下端部にはベース２４が直交するように固設してＴ字形を形成しており、前部補助脚４２ａの上面中間部には縦脚４２ｂの下端が取付けられ、その上端は着座部１０の前方下面に取付けられている。
【００２８】
上記掛止部４４は、図４に示すように前部補助脚４２ａの中間部位両側から直交する水平方向左右に延出した一対の支持アーム５０ａ，５０ｂ両端に前方に向けて平行に固設された筒体２６に前後方向に移動可能に支持された支持軸４７の先端に形成されている。
【００２９】
上記掛止部４４は、それぞれの先端が外側に向けて湾曲形成された一対の足首掛止体５４ａ，５４ｂで構成されて、上記掛止部４４は、使用者の体形に応じて足首に適切対応するよう前後位置が調整できるようになっている。
【００３０】
上記筒体２６には図示しない止めネジが設けてあり、上記掛止部４４の前後方向の位置を個別に適切な位置にロックすることで、使用者Ｎの体形に応じて足首を適切な位置に位置決めすることができる。
【００３１】
上記両足首掛止体５４ａ，５４ｂには、例えばゴム状の弾性体が被着されており掛止した足首を保護している。上記足首掛止体５４ａ，５４ｂの下方には使用者の両足裏を支持する載置部となる足裏載置台５６ａ，５６ｂがそれぞれ取り付けられており、上記足裏載置台５６ａ，５６ｂの下面には当該足裏載置台５６ａ，５６ｂを床面に接置して保持する台座Ｓが設けられている。
【００３２】
上記のように、両足首掛止体５４ａ，５４ｂの下方に足裏載置台を一体的に設けてこれら足裏載置台５６ａ，５６ｂに使用者の足裏を載せることで、使用者の体形に関わらず両足首の甲の部分を上記足首掛止体５４ａ，５４ｂに正確に位置決めすることができる。
【００３３】
一方、上記肘掛け１３は、着座部１０左右両側の側面に設けられ、上記着座部１０の前端両側面に下端が枢着された縦フレーム１３ａと、上記背凭れ部３０の中間部位両側に先端が枢着された横フレーム１３ｂとから構成され、上記縦フレーム１３ａの上端と横フレーム１３ｂの前端は、互いに揺動可能に枢着されている。
【００３４】
そして、縦フレーム１３ａの下端は、図５に示すように、上記フレームＦ１前端両側面から外側に突設した支持軸７０に枢着されると共に、横フレーム１３ｂの後端は、背凭れ部３０を構成するフレームＦ２両側面の略中間部位から外方に突出した支持軸７２に枢着されている。
【００３５】
上記縦フレーム１３ａと横フレーム１３ｂの外周部全面には、例えば皮革部材が被着されており、上記縦フレーム１３ａと横フレーム１３ｂは、互いに揺動可能に枢着されており、上記背凭れ部３０の起伏動作に連動して所謂パンタグラフ運動ができるように構成されている。
【００３６】
上記背凭れ部３０は、図３に示すように下端部両側にブラケット４６が上部に突設し、上記着座部１０の後端両側から上部に突設したブラケット４５に揺動可能に枢着されて、図５に示すようにフレームＦ２により縦長矩形状に形成されており平坦な上面及び外周面には例えば皮革部材が被着されている。
【００３７】
上記背凭れ部３０の幅方向中央には、一対の案内レール５８ａ，５８ｂが縦方向に並設されており、両案内レール５８ａ，５８ｂの中間にも螺子軸６４が並設されてそれぞれの上下端部がフレームＦ２の上下部材に接合されている。
【００３８】
上記両案内レール５８ａ，５８ｂには、使用者の背面を押圧する背面押圧具６０が、背凭れ部３０前面の上端から下端に亘って移動可能に構成されている。
図５の内部構造に示すように上記背面押圧具６０は、矩形状ベース６２上面に左右の縦方向２か所にそれぞれ突設したボス上端に半球状の押圧突子Ｄ１，Ｄ２が装着されている。
【００３９】
なお、上記４つの押圧突子Ｄ１，Ｄ２には、側面視円弧状に形成された移動枕体Ｐを脱着可能に設けることができ、取り外してフロアーまたは畳の上でも使用することができる。
【００４０】
そして、上記矩形状ベース６２下面に突設形成された図示しないナット部材には、上記螺子軸６４が螺挿しており、この螺子軸６４は、上記背凭れ部３０の幅方向中央に縦方向に回転自在に軸支されており、上記螺子軸６４の正逆回転により上下方向に移動可能となっている。
【００４１】
上記螺子軸６４は、その下端に傘歯車Ｇ１が装着されており、この傘歯車Ｇ１には操作軸６５後端の傘歯車Ｇ２が噛合している。上記操作軸６５は上記フレームＦ２の下端に回転自在に軸支されており、上記螺子軸６４は上記フレームＦ２の片側側面から突出した軸端のハンドルＨによる回転操作で連動可能となっている。
【００４２】
これにより、背面押圧具６０は、操作ハンドルＨの操作により背凭れ部３０
の上端から下端に亘って移動することで、使用者Ｎ背面の脊椎起立筋と後背筋
などを半球状の押圧突子により押圧して弛緩することができる。
【００４３】
一方、上記背凭れ部３０の両側部には、図３〜図５に示す取付け具Ｍ１，Ｍ２が取付けねじにより止着されており、これら取付け具Ｍ１，Ｍ２には、門型構成となる一対の伸縮アーム６６ａ，６６ｂが上記背凭れ部３０の両側面に沿って移動可能に支持され、上記伸縮アーム６６ａ，６６ｂの上端には円柱状のヘッドレスト４８が水平に装着されている。
【００４４】
図７に示す伸縮アーム６６ａ，６６ｂは、取付け具Ｍ１，Ｍ２の円筒保持体７６に軸方向移動可能に挿通保持されて止めネジ８２によって移動位置を位置決め保持するようになっており、着座した使用者Ｎの後頭部を乗せるように構成されている。
【００４５】
図７に示すように取付け具Ｍ１，Ｍ２には、上記伸縮アーム６６ａ，６６ｂの揺動角度を任意の角度にロックできる揺動角度位置決め機構を備えており、この揺動角度位置決め機構は、上記筒状保持体７６の下方側面に一体的に突設されたブラケット７５と、上記背凭れ部３０の両側面上部に固定されたブラケット７４と、このブラケット７４と上記ブラケット７５との間に挟まれ固定軸８０により挟着された円板状の割出し板７８とで構成されており、上記筒状保持体７６は、上記割出し板７８により固定軸８０の周りを一定角度毎に角度割り出し可能に保持されている。
【００４６】
詳しくは、上記割出し板７８は、円板中心から三角形状の凹凸溝７８が放射方向に折曲形成されており、上記各ブラケット７５，７６の割出し板７８と対向する内面にもそれぞれ凹凸溝７８が形成されおり、上記伸縮アーム６６ａ，６６ｂに付勢される回動力により上記凹凸溝７８が弾性変形して山、谷を乗り越えたとき上記凹凸溝７８の咬み合いにより所望の回動角度に位置決めされるようになっている。
【００４７】
図６はヘッドレストの使用例を示しており、ヘッドレスト４８は、取付け具Ｍ１，Ｍ２の揺動角度位置決め機構を中心として伸縮アーム６６ａ，６６ｂを着座部と略平行となる位置まで前方（矢印方向）に揺動して使用者の胸部側前面に位置決め保持し、着座した使用者Ｎのおでこを載せるように使用することができる。
【００４８】
そして、この状態におけるヘッドレスト４８は、使用者の胸部側前面から上記ヘッドレスト４８までの距離が調整可能となっており、上記取付け具Ｍ１，Ｍ２によって使用者の体形（肥満型または瘠せ型）に応じておでこを載せる前後位置を調整することができるようになっている。
【００４９】
このように、上記ヘッドレスト４８は、一対の伸縮アーム６６ａ，６６ｂを背凭れ部３０に沿って移動することで、使用者Ｎに適合した頸椎（首）両側の筋肉部位に適合させることができる。また、上記伸縮アーム６６ａ，６６ｂを着座した使用者Ｎの胸部側前面まで着座部１０と略平行になるまで揺動し、上記ヘッドレスト４８を任意の角度にロックすることで、使用者Ｎの座高に応じておでこを載せる高さ位置を適切な位置に調整することができる。
【００５０】
また、上記伸縮アーム６６ａ，６６ｂを任意の角度にロックしてヘッドレスト４８の高さ位置が決定された状態で、上記ヘッドレスト４８と使用者Ｎの胸部側前面までの距離を調整できるので、使用者Ｎの体形（肥満型または瘠せ型）に応じておでこを載せるヘッドレスト４８の前後位置を調整することができる。
【００５１】
次に、以上のように構成された椅子１の使用方法を、図２、図３及び図４に基づいて説明する。
【００５２】
図２は、使用者Ｎが着座部１０に着座して背凭れ部３０を、着座部１０に対して所定角度傾倒して使用する状態を示しており、この状態で、使用者Ｎの両足首を掛止部４４に掛止した状態で背凭れ部３０を後方に傾倒させて身体を後に反らせるように使用される。
【００５３】
このように両足首を掛止部４４に掛止して両膝を合わせ、背凭れ部３０を後方に傾倒して身体を後に反らしながら、意識を腹部に集中し複式呼吸の腹筋運動を行うと小腸、大腸と直腸の運動になり、消化活動と便通を改善することができる。
【００５４】
事務作業などを行うデスクワークを継続すると、下腹部を緩めて内臓を圧迫する姿勢でいるため、本考案の椅子を使用した腹式呼吸による腹筋運動が効果的である。
【００５５】
また、意識を肺に集中して胸部で深く大きく行う肺呼吸の胸筋運動は、広い肺の有酸素運動で自然に浄化された新鮮な血液が心臓から全身に送られる。その結果、全身の皮膚にも栄養が行きわたり、張りが有る艶々した肌に改善される。同時に筋系体エクササイズを行うと更に有効となる。
【００５６】
さらに、椅子１の掛止部４４に両足首を掛止して膝を合わせ、背凭れ部３０を後方に傾倒して身体を後ろに反らすと、大腿前部の大腿直筋と、大腿外側の大腿筋膜張筋が伸ばされるため、Ｏ脚が改善されて美脚になる。加えて、日本人の標準値である股関節の角度を１３０度にセットできる結果、骨盤が水平に支えられて美脚になる。また、膝関節の角度が正常になるため膝痛を改善することもできる。
【００５７】
また、身体前側の腹直筋と脊椎前縦靭帯が上に引き伸ばされるため、下に下垂した下腹部の筋と臓器が上に引き上げられて、下腹部に弛んでいる出っ張り腹が凹んでくる。
【００５８】
さらに、掛止部４４に両足首を掛止して膝を合わせ、背凭れ部３０を後方に傾倒して身体を後ろに反らすと同時に、これにより身体前側の腹直筋と脊椎前縦靭帯が上に引き伸ばされると、胸筋と両肩前面と肩甲骨周辺の筋肉が緩み、両肩を後方に引き易くなる。その結果、首と肩甲骨周辺の筋肉の張りが無くなる為、慢性の肩こりと猫背が改善して姿勢が良くなり、更にバストアップされる。
【００５９】
次に、図３、図４に示すように、上記ヘッドレスト４８を合わせて使用する場合は、背凭れ部３０の前面上部にセットしたヘッドレスト４８に使用者の後頭部を乗せて、両手を両側に下げて全身の力を抜くと、全身的にリラックスする。同時に両手と両肩で軽い筋系体エクササイズを行うと更に効果的である。
【００６０】
さらに、人体の頭部を支持しているのが頚椎（首）であり、最も重要な脳からの脊髄神経が最初に通る部位で、その頭部を首で後に引いている筋肉は、身体で最も疲れが激しい部位であり、この疲れた頚椎（首）の両側の筋肉を、背凭れ部３０上部のヘッドレスト４８に当てて首を左右に振ると、押圧効果で筋肉の疲れが取れて首と肩の凝りが解消される。
【００６１】
背凭れ部３０を後方に傾倒させて身体を後ろに反らした状態で腹筋運動を行い、後頭部を上記背凭れ部３０上部のヘッドレスト４８に当てて、目をつぶりながら後頭部周辺を左右に振ると押圧効果があり、眼の疲れが取れる。特に眼と脳の疲れをとるのに効果的である。
【００６２】
次に、ヘッドレストの別の使用法として、図４に示すように、取付け具Ｍ１，Ｍ２の揺動角度位置決め機構を中心として伸縮アーム６６ａ，６６ｂを着座部と略平行な位置まで前方（矢印方向）に揺動して使用者の胸部側前面にヘッドレスト４８を位置決めし取付け具Ｍ１，Ｍ２を所定角度にロックする。
【００６３】
この状態で、上記ヘッドレスト４８上に使用者のおでこを乗せて両手を下腹部で組み、首の後方の力を抜き同時に深呼吸を行う。その時、吐く吸気を長く吐くと頭脳が疲労しているときは瞬間に睡眠に誘導される。
【００６４】
人間の首は、一生一番重い頭を支えているために、前を見ている時には頚椎が前に湾曲している。また、首の後方の筋肉が緊張しているため、頚椎後方が狭くなり、脳神経に刺激が続く。その結果、脳神経と首の後方の筋肉が疲れて頭を前に垂らし、頚椎骨後方の間隔を広げ、首の筋肉を緩めて深呼吸をすると深い睡眠に入ることができる。
【図面の簡単な説明】
【００６５】
【図１】本考案に係る椅子の実施例を示す全体縦断面図である。
【図２】本考案に係る椅子を使用した別の実施例を示す全体斜視図である。
【図３】上記椅子の全体側面図である。
【図４】上記椅子の全体斜視図である。
【図５】上記椅子の内部構造を示す全体斜視図である。
【図６】ヘッドレストの使用例を示す椅子の全体斜視図である。
【図７】ヘッドレストを支持する伸縮アームを任意の角度にロックする揺動角度位置決め機構を示す部分拡大斜視図である。
【符号の説明】
【００６６】
１              椅子
６              キャスター
８              横フレーム
１０            着座部
１１，１４      ブラケット
１２            補助脚
１３            肘掛け
１３ａ          縦フレーム
１３ｂ          横フレーム
１８            シリンダロッド
２０            脚体
２２            ブラケット
２４            ベース
２６            筒体
３０            背凭れ部
４２            前部脚
４２ａ          前部補助脚
４２ｂ          縦脚
４３            後部脚
４４            掛止部
４５，４６      ブラケット
４７            支持軸
４８            ヘッドレスト
５０ａ，５０ｂ  支持アーム
５４ａ，５４ｂ  足首掛止体
５６ａ，５６ｂ  足裏載置台
５８ａ，５８ｂ  案内レール
６０            背面押圧具
６２            矩形状ベース
６４            螺子軸
６５            操作軸
６６ａ，６６ｂ  伸縮アーム
７０，７２      支持軸
７４、７５      ブラケット
７６            筒状保持体
７８            割出し板
８０            固定軸
８２            止めネジ
Ｄ１，Ｄ２      押圧突子
Ｇ１，Ｇ２      傘歯車
Ｈ              ハンドル
Ｌ              載置台
Ｍ１，Ｍ２      取付け具
Ｎ              使用者
Ｐ              移動枕体
Ｒ              流体圧シリンダ
Ｓ              台座
【図１】
0003138255.tif 000003
【図２】
0003138255.tif 000004
【図３】
0003138255.tif 000005
【図４】
0003138255.tif 000006
【図５】
0003138255.tif 000007
【図６】
0003138255.tif 000008
【図７】
0003138255.tif 000009